(57)【要約】
【課題】　支柱を精密に垂直方向に支持できると共に、グラツキやガタツキを生じ難い支柱の取付構造を提供する。
【解決手段】　上方に向かって径が大きくなるテーパ（２００）が内周面に形成された筒状のソケット部（取付部材Ｔ１）と脚部（Ｋ）を有する台座（Ｄ）の上記ソケット部に、パイプ状の支柱（Ｐ１）を立設させる取付構造であって、前記支柱の下端の外周面に係合溝（１０）を形成し、前記支柱の下端部に、内周面に前記支柱の係合溝に係合可能な凸状部（２）が形成され、外形が略円錐状に形成されたスリーブ部材（Ａ１）を下端側の径が上端側の径より小さくなるようにして取り付け、該スリーブ部材を前記ソケット部材の内周面の前記テーパに沿って上方から嵌合させて前記支柱を前記台座に固定させるようにした。
【選択図】　図３
　
0003099894.tif 000002
【実用新案登録請求の範囲】
【請求項１】
　上方に向かって径が大きくなるテーパが内周面に形成された筒状のソケット部と脚部を有する台座の上記ソケット部に、パイプ状の支柱を立設させる取付構造であって、
　前記支柱の下端の外周面に係合溝を形成し、
　前記支柱の下端部に、内周面に前記支柱の係合溝に係合可能な凸状部が形成され、外形が略円錐状に形成されたスリーブ部材を下端側の径が上端側の径より小さくなるようにして取り付け、
　該スリーブ部材を前記ソケット部材の内周面の前記テーパに沿って上方から嵌合させて前記支柱を前記台座に固定させることを特徴とする支柱の取付構造。　
【請求項２】
　前記支柱の下端部の底壁に、ネジ螺合部を設け、
　前記ソケット部の下端側に、該ソケット部の下端部の径よりも大きな外周径を有し、中央部にネジ挿通孔が穿設されたプレート部材を当接させ、
　該プレート部材の前記ネジ挿通孔にネジを通し、前記ソケット部に係合されている前記支柱のネジ螺合部に螺合させて固定させることを特徴とする請求項１に記載の支柱の取付構造。
【請求項３】
　前記スリーブ部材は、半円筒状のスリーブ半体から構成されており、対向する端部には互いに嵌め合う係合部が形成され前記支柱を挟むようにして装着可能に構成されていることを特徴とする請求項１または請求項２に記載の支柱の取付構造。
【請求項４】
　前記台座は、
　前記支柱から水平あるいは斜め下方に向かって放射状に延設された少なくとも３本の脚部と、
　該脚部の端部の下面に設けられるローラ部材と、
　から構成されていることを特徴とする請求項１から請求項３の何れかに記載の支柱の取付構造。
【請求項５】
　前記台座は、
　前記支柱から水平あるいは斜め下方に向かって放射状に延設された少なくとも３本の脚部と、
　該脚部の先端の垂直方向に形成されたネジ穴と該ネジ穴に螺合された上下位置調整具と、
　から構成されることを特徴とする請求項１から請求項３の何れかに記載の支柱の取付構造。
【考案の詳細な説明】
【技術分野】
【０００１】
　本考案は、立設型のハンガー，帽子掛け，間仕切りや衝立等の家具類における支柱を立設して固定する取付構造に関する。
【背景技術】
【０００２】
　従来より、ユーザーが組み立てる立設型のハンガーや帽子掛け等の家具類において、支柱を立設させて固定するために種々の取付構造が存在する。
　例えば、図６（ａ）に示す取付構造は、パイプ状の支柱Ｐ２の下端部に係合可能なリング状の取付具Ｔ２とネジ締結具Ｎ２によって支柱Ｐ２を立設させて固定するようになっている。より具体的には、リング状の取付具Ｔ２の側方にネジ締結具Ｎ２の雄ネジ部Ｎ２ａと螺合可能なネジ穴Ｈ２が形成してあり、取付具Ｔ２に支柱Ｐ２の下端部を挿入した状態で、このネジ穴Ｈ２にネジ締結具Ｎ２の雄ネジ部Ｎ２ａを螺合させ、雄ネジ部Ｎ２ａの先端部を支柱Ｐ２の周面に強く当接させることにより、支柱Ｐ２を立設させて固定する構造となっている。
【０００３】
　また、図６（ｂ）に示す取付構造は、有底のパイプ状の支柱Ｐ３の下端部に係合可能な有底の筒状の取付具Ｔ３とネジ締結具（ボルト）Ｎ３によって支柱Ｐ３を立設させて固定するようになっている。より具体的には、パイプ状の支柱Ｐ３の底部Ｐ３ａにはネジ締結具Ｎ３の雄ネジ部Ｎ３ａと螺合可能なネジ穴Ｈ３が、筒状の取付具Ｔ３の底部Ｔ３ａにはネジ締結具Ｎ３の雄ネジ部Ｎ３ａを挿通可能な挿通孔Ｈ４がそれぞれ形成されており、取付具Ｔ３に支柱Ｐ３の下端部を挿入した状態で、取付具Ｔ３の挿通孔Ｈ４の底側からネジ締結具Ｎ３の雄ネジ部Ｎ３ａを挿通させてネジ穴Ｈ３に強く螺合させることにより、支柱Ｐ３を立設させて固定する構造となっている。
　なお、実際の製品においては、リング状の取付具Ｔ２或いは筒状の取付具Ｔ３に、立設型のハンガーや帽子掛け等の脚部が一体的に設けられている。
【考案の開示】
【考案が解決しようとする課題】
【０００４】
　ところが、上記従来の取付構造では、支柱Ｐ２，Ｐ３と取付具Ｔ２，Ｔ３の間でグラツキやガタツキを起こし易く、支柱を精密に垂直方向に支持できないという難点があった。
　即ち、図６（ａ），（ｂ）に示す取付構造では、取付具Ｔ２，Ｔ３の内周と支柱Ｐ２，Ｐ３の外周との間に、抜き差しを容易にするために多少の隙間が設けられているため、ネジ締結具Ｎ２，Ｎ３の螺合が緩んだ場合に、支柱Ｐ２，Ｐ３にグラツキやガタツキを生じるという不都合があった。
【０００５】
　特に、立設型のハンガーや帽子掛け等の家具類の支柱の固定に上記取付構造を採用した場合には、衣類や帽子の掛け外し動作の繰り返しにより支柱Ｐ２，Ｐ３の上端側に力が加わり、その度に支柱Ｐ２，Ｐ３の下端部に比較的強く揺らす力が作用するため、ネジ締結具Ｎ２，Ｎ３の螺合が緩み易く、グラツキやガタツキを生じ易いという問題があった。
　本考案は、上記課題を解決するためになされたもので、支柱を精密に垂直方向に支持できると共に、グラツキやガタツキを生じ難い支柱の取付構造を提供することを目的とする。
【課題を解決するための手段】
【０００６】
　上記目的を達成するために、本考案は、上方に向かって径が大きくなるテーパ（２００）が内周面に形成された筒状のソケット部（取付部材Ｔ１）と脚部（Ｋ）を有する台座（Ｄ）の上記ソケット部に、パイプ状の支柱（Ｐ１）を立設させる取付構造であって、前記支柱の下端の外周面に係合溝（１０）を形成し、前記支柱の下端部に、内周面に前記支柱の係合溝に係合可能な凸状部（２）が形成され、外形が略円錐状に形成されたスリーブ部材（Ａ１）を下端側の径が上端側の径より小さくなるようにして取り付け、該スリーブ部材を前記ソケット部材の内周面の前記テーパに沿って上方から嵌合させて前記支柱を前記台座に固定させるようにした。
【０００７】
　また、前記支柱の下端部の底壁に、ネジ螺合部を設け、前記ソケット部の下端側に、該ソケット部の下端部の径よりも大きな外周径を有し、中央部にネジ挿通孔が穿設されたプレート部材を当接させ、該プレート部材の前記ネジ挿通孔にネジを通し、前記ソケット部に係合されている前記支柱のネジ螺合部に螺合させて固定させるようにしてもよい。
【０００８】
　また、前記スリーブ部材は、半円筒状のスリーブ半体から構成されており、対向する端部には互いに嵌め合う係合部が形成され前記支柱を挟むようにして装着可能に構成することができる。
【０００９】
　また、前記台座は、前記支柱から水平あるいは斜め下方に向かって放射状に延設された少なくとも３本の脚部と、該脚部の端部の下面に設けられるローラ部材とから構成されるようにできる。
　また、前記台座は、前記支柱から水平あるいは斜め下方に向かって放射状に延設された少なくとも３本の脚部と、該脚部の先端の垂直方向に形成されたネジ穴と該ネジ穴に螺合された上下位置調整具とから構成ようにしてもよい。
【考案の効果】
【００１０】
　請求項１に記載の考案によれば、支柱の下端部に取り付けたスリーブ部材をソケット部材に上方から嵌合させるだけで、支柱を垂直に固定させることができる。即ち、スリーブ部材は外形が略逆円錐状に形成され、ソケット部材の内周面に形成された上方が広がったテーパに沿って嵌合されるので、支柱の下端部（スリーブ部材）がソケット部材に対して楔が打ち込まれるようにして強く係合され、確実に支柱を立設状態で保持することができる。特に、該取付構造を立設型のハンガーや帽子掛け等の家具類の支柱の固定に適用した場合には、衣類や帽子の掛け外し動作の繰り返しにより支柱の下端部を揺らす力が加わった際に、スリーブ部材がソケット部材にくい込んでより強く嵌合する力として作用するため、従来のようにグラツキやガタツキを生じる事態を回避することができる。
　また、請求項２に係る考案によれば、ネジの螺合によって、支柱の下端部をソケット部材に対して確実に固定することができる。
　また、請求項３に係る考案によれば、半円筒状のスリーブ半体を支柱を挟んで係合させるだけで、支柱の下端に容易にスリーブ部材を取り付けることができる。
　また、請求項４に係る考案によれば、ローラ部材によって移送可能な家具類の支柱を容易且つ確実に固定することができる。
　また、請求項５に係る考案によれば、例えばネジ式の上下位置調整具を備えた家具類の支柱を容易且つ確実に固定することができる。
【考案を実施するための最良の形態】
【００１１】
　以下、本考案の実施形態について図１から図５を参照して説明する。
　ここに、図１は本実施形態に係る支柱の取付構造の適用状態を示す組立工程図、図２はその続きを示す組立工程図、図３は取付構造の一部拡大図、図４は本実施形態に係る取付構造を適用した立設型のハンガーを示す斜視図、図５は支柱の取付構造の他の実施形態を示す正面図である。
【００１２】
　外周面に適当な間隔をおいて複数の係合溝１０が形成されたパイプ状の支柱Ｐ１を脚部Ｋに固定するには、まず、図１（Ａ）および図３に示すように、支柱Ｐ１の下端部にスリーブ部材Ａ１を取り付ける。
【００１３】
　より具体的には、半円筒状のスリーブ半体Ａ１ａとＡ１ｂを支柱Ｐ１の下端に位置合わせして、支柱Ｐ１を挟み込むようにして係合させる。なお、スリーブ半体Ａ１ａの対向部には嵌合用の凹部１が、スリーブ半体Ａ１ａの対向部には嵌合用の凸部２がそれぞれ形成されている。また、半円筒状のスリーブ半体Ａ１ａとＡ１ｂの内周面には、支柱Ｐ１の係合溝１０と係合可能な突起３が設けられている。また、スリーブ半体Ａ１ａとＡ１ｂの外周面にはテーパ１００が形成されており、図１（Ｂ）に示すようにスリーブ半体Ａ１ａとＡ１ｂが係合されてスリーブ部材Ａ１を構成した際に、外形が略逆円錐状（即ち、上方の径より下方の径が小さい形態）となるように構成されている。
　なお、スリーブ半体Ａ１ａとＡ１ｂは、ステンレス鋼等の金属あるいはＡＢＳ樹脂等のプラスチックで構成される。
【００１４】
　一方、脚部Ｋは、金属製の棒状の水平部材Ｓの両端部にソケット部材Ｓ１が固設され、このソケット部材Ｓ１を介してローラ部材Ｒが取り付けられている。
　また、水平部材Ｓの中央部には金属製のソケット状の取付具Ｔ１が溶接されて設けられている。
　なお、符号Ｄは、脚部Ｋ，取付具Ｔ１およびローラ部材Ｒを備えた台座を指している。
【００１５】
　取付具Ｔ１の内周面には、支柱Ｐ１側のスリーブ部材Ａ１と嵌合可能に上方が広がったテーパ２００が形成されている。
　そして、図１（Ｂ）に示すように、スリーブ部材Ａ１を下端に取り付けた支柱Ｐ１を取付具Ｔ１の中空部に対して嵌合させる。
　このように、支柱Ｐ１の下端部に取り付けたスリーブ部材Ａ１をソケット状の取付具Ｔ１に上方から嵌合させるだけで、図１（Ｃ）に示すように、支柱Ｐ１を垂直に固定させることができる。即ち、スリーブ部材Ａ１は外形が略逆円錐状に形成され、取付具Ｔ１の内周面に形成されたテーパ２００に沿って嵌合されるので、支柱Ｐ１の下端部（スリーブ部材Ａ１）が取付具Ｔ１に対して楔が打ち込まれるようにして強く係合され、確実に支柱Ｐ１を立設状態で保持することができる。
【００１６】
　特に、本実施形態に係る取付構造を立設型のハンガー（図４参照）や帽子掛け等の家具類の支柱の固定に適用した場合には、衣類や帽子の掛け外し動作の繰り返しにより支柱Ｐ１の下端部を揺らす力が加わった際に、スリーブ部材Ａ１が取付具Ｔ１にくい込んでより強く嵌合させる力として作用するため、従来のようにグラツキやガタツキを生じる事態を有効に回避することができる。
【００１７】
　また、本実施形態では、図２（Ｄ）に示すように、取付具Ｔ１の底側からネジ締結具Ｎによって支柱Ｐ１の下端部を固定するようになっている。より具体的には、図３に示すように、支柱Ｐ１の下端部には、ネジ締結具Ｎの雄ネジ部４０と螺合するネジ穴３０が設けられており、取付具Ｔ１の下端側に、取付具Ｔ１の下端部の径よりも大きな外周径を有し中央部にネジ挿通孔を穿設したプレート部材２０を当接させ、スプリングワッシャー２１および平ワッシャー２２を介してネジ締結具Ｎの雄ネジ部４０を支柱Ｐ１のネジ穴３０に螺合させる。
　これにより、図２（Ｅ）に示すように、ネジ締結具Ｎによって支柱Ｐ１は確実に固定することができる。
【００１８】
　図４には、本実施形態に係る支柱の取付構造を適用した立設型のハンガーを示す。
　この立設型のハンガー３００において、一対の脚部Ｋの間には、所定長さの棒状の水平部材４００が溶接等によって固設されている。
　そして、上述のように図１（Ａ）〜（Ｃ）および図２（Ｄ），（Ｅ）に示す手順で、各脚部Ｋの取付具Ｔ１に支柱Ｐ１を立設させる。
　次いで、両端にソケット部５０１を備えた棒状の水平部材５００を支柱Ｐ１の上端に係合させる。
　このようにして、図４に示す立設型のハンガー３００が組み立てられる。
【００１９】
　この立設型のハンガー３００は、本実施形態に係る支柱の取付構造を適用したことにより、確実に支柱Ｐ１を立設状態で保持することができる。特に、上部の水平部材５００に対する衣類等の掛け外し動作の繰り返しにより支柱Ｐ１の下端部を揺らす力が加わった際にも、スリーブ部材Ａ１と取付具Ｔ１をより強く嵌合させる力として作用するため、従来のようにグラツキやガタツキを生じる事態を有効に回避することができる。
【００２０】
　なお、前出の図１〜図４において、脚部Ｋにローラ部材Ｒを設ける場合について説明したが、これに限らず、ローラ部材Ｒに代えて、図５に示すように、ネジ部６０１の調節により上下位置を調節可能な上下位置調整具６００を配設するようにしてもよい。これにより、立設型のハンガー等の家具類を安定して配設することができる。
【００２１】
　以上本考案者によってなされた考案を実施形態に基づき具体的に説明したが、本明細書で開示された実施の形態はすべての点で例示であって開示された技術に限定されるものではない。
　例えば、上記実施形態では、本考案に係る支柱の取付構造を立設型のハンガーに適用する場合を示したが、これに限定されるものではなく、帽子掛け，間仕切りや衝立等の支柱を備えるあらゆる家具類等に適用することが可能である。
【図面の簡単な説明】
【００２２】
【図１】本実施形態に係る支柱の取付構造の適用状態を示す組立工程図である。
【図２】図１の続きを示す組立工程図である。
【図３】本実施形態に係る支柱の取付構造の一部拡大図である。
【図４】本実施形態に係る取付構造を適用した立設型のハンガーを示す斜視図である。
【図５】支柱の取付構造の他の実施形態を示す正面図である。
【図６】従来の支柱の取付構造を示す断面図である。
【符号の説明】
【００２３】
Ｐ１　　支柱
１０　　係合溝
Ａ１ａ，Ａ１ｂ　　スリーブ半体
Ａ１　　スリーブ部材
Ｋ　　　脚部
Ｄ　　　台座
Ｓ　　　水平部材
Ｓ１　　ソケット部材
Ｒ　　　ローラ部材
Ｔ１　　取付部材（ソケット部材）
２０　　プレート部材
２１　　スプリングワッシャー
２２　　平ワッシャー
Ｎ　　　ネジ締結具
３０　　ネジ穴
４０　　雄ネジ部
１００　テーパ
２００　テーパ
【図１】
0003099894.tif 000003
【図２】
0003099894.tif 000004
【図３】
0003099894.tif 000005
【図４】
0003099894.tif 000006
【図５】
0003099894.tif 000007
【図６】
0003099894.tif 000008